(57)【要約】      （修正有）【課題】ますから流入管、延いては宅内へ悪臭および排水が侵入するのを防止し、既設ますに簡単に取り付けることができ、ますの上部などから目視点検可能な逆止弁を提供する。【解決手段】逆止弁１０は、サドル１６、サドル１６の内面側へ連続する弁管２２および弁管２２の傾斜端面２２ａを開閉自在に塞ぐ弁体２８を備え、この逆止弁１０をます１２に取り付ける場合、サドル１６の外面をます１２の内面に沿わせながら、弁管２２の管底を流入管１４の管底に合わせて、止水材２０によりサドル１６をます１２に固定する。【選択図】図２
2006183454.tif 000002
【特許請求の範囲】
【請求項１】
流入管および流出管を接続した排水施設の中に取り付けられる逆止弁であって、
外面が前記排水施設の内面に沿ったサドル、
前記サドルの内面側に形成される弁管、および
前記弁管の後端の端面を開閉自在に塞ぐ弁体を備える、逆止弁。
【請求項２】
前記サドルを排水施設の内面に押さえ付ける押え具をさらに備える、請求項１記載の逆止弁。
【請求項３】
前記弁管と一体に形成されるインバートをさらに備える、請求項１記載の逆止弁。
【請求項４】
請求項１記載の逆止弁を用いた排水施設であって、
本体、および
前記本体に接続される流入管および流出管を備え、
前記流入管の位置に対応させて前記サドルを前記排水施設の内面に沿わせ、さらに、
前記サドルを前記排水施設の前記内面に固定する押え具を備える、排水施設。
【請求項５】
上面開口の側壁を有する本体、
流入側および流出側の前記側壁にそれぞれ形成された孔、
前記側壁と一体に形成されて、前記流入側の孔と連通する内面を有する弁管、および
前記弁管の後端の端面を開閉自在に塞ぐ弁体を備える、排水施設。
【請求項６】
流入管および流出管を接続した排水施設の中に取り付けられる逆止弁であって、
外面が前記排水施設の内面に沿ったサドル、
前記サドルの内面側に形成される接続管、
前端が前記接続管と連続して前記接続管の中に設けられる弁管、および
前記弁管の後端の端面を開閉自在に塞ぐ弁体を備える、逆止弁。
【請求項７】
本体、
前記本体に接続される流入管および流出管、
外径が前記流出管の内径と同径以下である弁管、
前記弁管の後端の端面を開閉自在に塞ぐ弁体、ならびに
前記本体に固定され、前記弁管の管壁の端面を押える停止具を備える、排水施設。
【請求項８】
流入管および流出管を接続した排水施設の中に取り付けられる逆止弁であって、
外面が前記排水施設の内面に沿ったサドル、ならびに
前記流入管および前記流出管のいずれか一方の開口を開閉自在に塞ぐ弁体を備える、逆止弁。
【請求項９】
前記サドルを排水施設の内面に押さえ付ける押え具をさらに備える、請求項８記載の逆止弁。
【請求項１０】
上面開口の側壁を有する本体、
流入側および流出側の前記側壁に形成された孔、および
前記孔を開閉自在に塞ぐ弁体を備える、排水施設。
【発明の詳細な説明】
【技術分野】
【０００１】
この発明は、逆止弁および排水施設に関し、特にたとえば、排水および悪臭が流出管から流入管へ逆流するのを防止する、逆止弁および排水施設に関する。
【背景技術】
【０００２】
従来の逆止弁はゴム輪などの止水部材を有し、たとえばコンクリートますの下流側に接続する流出管内に取り付けられていた。たとえば、分流式の場合では集中豪雨があると下水本管からの排水が流出管内を逆流してその水圧が弁体に働き、逆止弁を流出管内から押し外してしまうことがあった。この場合、排水および排水による悪臭が宅内に侵入してしまうことがある。
【０００３】
また、逆止弁を流出管内に配置するため、逆止弁を設置しにくく、またますの上部開口などから逆止弁を目視点検する場合には点検ミラーなど特殊器具を用いる必要があるなど、逆止弁を維持管理することが難しく、逆止弁の維持管理に問題があった。
【０００４】
これらの問題を解決する技術が、特許文献１に開示されている。この特許文献１の排水ますにおける逆止弁では、排水ますに上流管接続部が設けられ、上流管接続部内に弁体を揺動可能に吊り下げている。通常弁体は垂下しているが、ます内の水位が上昇すると、弁体が押されて上流管接続部を閉塞する。
【０００５】
特許文献１の従来技術では、弁体が上流側接続部内に吊り下げられているので、排水量の増加による離脱はなく、目視による点検もある程度は可能である。
【特許文献１】特開平１１−２４１３９４号公報［Ｅ０３Ｆ  ５／１０］
【発明の開示】
【発明が解決しようとする課題】
【０００６】
しかしながら、特許文献１の従来技術では、排水の水位上昇時を除いて、弁体と管本体との間には間隙が形成されているため、悪臭がこの間隙を通って宅内へ入ってしまうし、さらには、上流管接続部の管本体と受口との間には段差が形成されるため、流入管の底部とインバート底部とが同じレベル上にある既設ますにこの上流管接続部を適用することができない。
【０００７】
それゆえに、この発明の主たる目的は、確実な防臭とともに排水の逆流を防止でき、目視点検可能で、しかも既設排水施設への適用が可能な逆止弁、および排水施設を提供することである。
【課題を解決するための手段】
【０００８】
請求項１の発明は、流入管および流出管を接続した排水施設の中に取り付けられる逆止弁であって、外面が排水施設の内面に沿ったサドル、サドルの内面側に形成される弁管、および弁管の後端の端面を開閉自在に塞ぐ弁体を備える、逆止弁である。
【０００９】
請求項１の発明では、たとえば、流入管を接続した排水施設の中に逆止弁を搬入し、逆止弁のサドルの外面を排水施設の内面に沿わせて、逆止弁を排水施設内に取り付ける。
【００１０】
このサドルの内面側に弁管が形成され、弁管の後端の端面に弁体が開閉自在に取り付けられるので、弁管および弁体は排水施設内に位置する。このため、排水施設の上部開口などから弁体や弁管を目視点検することができる。
【００１１】
また、弁体が弁管の後端の端面を開閉自在に塞ぐことにより、排水が弁管を通って排水施設へ流入する場合、排水は弁体を押し開けて、排水施設内に流入する。反対に、排水が排水施設側から弁管内、すなわち流入管側へ逆流しようとする場合、排水が弁体を端面に押し付けるので弁体が弁管を塞ぎ、排水の逆流は防止される。
【００１２】
このように、排水が排水施設内に流入するとき以外、弁体は弁管を塞ぐため、排水施設と流入管は常に遮断され、排水施設内の悪臭が流入管を通って宅内へ侵入したりすることはない。
【００１３】
また、接着剤または適当な押え具などによりサドルを排水施設の内面に付ければ、逆止弁が排水施設の内面に固定され、排水の逆流によっても逆止弁は外れない。
【００１４】
請求項２の発明は、サドルを排水施設の内面に押さえ付ける押え具をさらに備える、請求項１記載の逆止弁である。
【００１５】
請求項２の発明では、押え具によりサドルを排水施設の内面へ押し付けることで、逆止弁は排水施設に固定される。このため、逆止弁は、排水の逆流などによっても外れずに、逆流防止や防臭などの機能を維持し続けることができる。
【００１６】
請求項３の発明は、弁管と一体に形成されるインバートをさらに備える、請求項１記載の逆止弁である。
【００１７】
請求項３の発明では、排水は流入管側から弁管内に流入し、弁体を押し上げてインバート内を流れる。そして、この逆止弁を用いることによって、同時にインバートも採用できる。
【００１８】
請求項４の発明は、請求項１記載の逆止弁を用いた排水施設であって、本体、および本体に接続される流入管および流出管を備え、流入管の位置に対応させてサドルを排水施設の内面に沿わせ、さらに、サドルを排水施設の内面に固定する押え具を備える、排水施設である。
【００１９】
請求項４の発明では、請求項１と同様に逆止弁を排水施設に取り付けた後、押え具によりサドルを排水施設の内面に固定することにより、逆止弁の離脱は防止される。
【００２０】
請求項５の発明は、上面開口の側壁を有する本体、流入側および流出側の側壁にそれぞれ形成された孔、側壁と一体に形成されて、流入側の孔と連通する内面を有する弁管、および弁管の後端の端面を開閉自在に塞ぐ弁体を備える、排水施設である。
【００２１】
請求項５の発明では、たとえば、排水施設の流入側の孔に流入管を接続すると、流入管から流入する排水は孔から弁管に流入し、弁体を押し開けて排水施設内に流入する。一方、排水施設内から流入管側へ排水が逆流しようとすると、排水の圧力で弁体は弁管の後端の端面を塞ぎ、排水の逆流は防止される。
【００２２】
請求項６の発明は、流入管および流出管を接続した排水施設の中に取り付けられる逆止弁であって、外面が排水施設の内面に沿ったサドル、サドルの内面側に形成される接続管、前端が接続管と連続して接続管の中に設けられる弁管、および弁管の後端の端面を開閉自在に塞ぐ弁体を備える、逆止弁である。
【００２３】
請求項６の発明では、サドルの外面を排水施設の内面に沿わせて接続管を流出管に接合し、逆止弁を排水施設の中に取り付ける。排水施設側から流出管側へ排水が流出する場合、排水は弁管内を通って弁体を押し開けて流出する。一方、流出管側から排水施設側へ排水が逆流する場合、排水は接続管内に流入して弁体を後ろ端面に押し付けることにより、排水の逆流は防止される。
【００２４】
請求項７の発明は、本体、本体に接続される流入管および流出管、外径が流出管の内径と同径以下である弁管、弁管の後端の端面を開閉自在に塞ぐ弁体、ならびに本体に固定され、弁管の管壁の端面を押える停止具を備える、排水施設である。
【００２５】
請求項７の発明では、弁管を流出管内に挿入し、弁管の管壁の端面に停止具を当て、停止具を排水施設に固定すると、排水が逆流しても弁管は停止具に当たり、逆止弁は流出管から抜けない。
【００２６】
請求項８の発明は、流入管および流出管を接続した排水施設の中に取り付けられる逆止弁であって、外面が排水施設の内面に沿ったサドル、ならびに流入管および流出管のいずれか一方の開口を開閉自在に塞ぐ弁体を備える、逆止弁である。
【００２７】
請求項８の発明では、排水施設の内面にサドルの外面を沿わせることにより、既設の排水施設に取り付けることができる。
【００２８】
また、流入管または流出管が接続される排水施設の内面にサドルを付けると、流入管または流出管の開口を弁体が開閉自在に塞ぐ。これにより、弁体を開けば、流入管または流出管を目視点検することができる。また、排水が逆流すると、その水圧により弁体が開口を塞ぐため、排水の逆流は防止される。さらに、排水の流入時以外、弁体は開口を塞ぐため、悪臭の侵入は防止される。
【００２９】
請求項９の発明は、サドルを排水施設の内面に押さえ付ける押え具をさらに備える、請求項８記載の逆止弁である。
【００３０】
請求項９の発明では、押え具でサドルを排水施設の内面へ押し付ければ、逆止弁が排水施設に固定される。このため、逆止弁の離脱が防止され、逆止弁は防臭および逆流防止作用を維持し続けることができる。
【００３１】
請求項１０の発明は、上面開口の側壁を有する本体、流入側および流出側の側壁に形成された孔、および孔を開閉自在に塞ぐ弁体を備える、排水施設である。
【００３２】
請求項１０の発明では、本体の側壁に形成された孔に流入管または流出管を接続し、孔を開閉自在に塞ぐ弁体を開ければ、目視により流入管または流出管を維持管理することができる。
【００３３】
また、流入側から流れる排水は弁体を押し上げて流れ、これ以外の時は、弁体は孔を塞ぐため、悪臭の侵入を防止することができる。
【００３４】
さらに、流出側から逆流する排水の水圧で弁体は孔を塞ぐため、排水の逆流を防止することができる。
【発明の効果】
【００３５】
この発明によれば、サドルを排水施設の内面に沿わせることにより、逆止弁を既設排水施設に簡単に取り付けることができる。また、サドルを排水施設の内面に沿わせ、弁管をサドルの内面側に形成することにより、排水施設の上部開口などから逆止弁を目視点検ができる。弁体は通常弁管の傾斜端面を閉塞しているので、排水および悪臭が宅内に流れ込むことはない。
【００３６】
この発明の上述の目的，その他の目的，特徴および利点は、図面を参照して行う以下の実施例の詳細な説明から一層明らかとなろう。
【発明を実施するための最良の形態】
【００３７】
図１に示すこの発明の一実施例である逆止弁１０は、図２に示すようにます１２など排水施設内に取り付けられ、排水がます１２内から流入管１４へ逆流することを防止する。
【００３８】
図１〜図５に示すように、逆止弁１０はサドル１６を有する。サドル１６は、塩化ビニル、鋼材または硬質ゴムなどを用いて形成される。その外面はます１２の内面に沿って湾曲する。このサドル１６の下部に切欠１７が形成される。
【００３９】
サドル１６の外面上に止水材２０が設けられる。止水材２０はたとえばプチルテープや平板ゴムであり、平板ゴムにはスチレンゴム、エチレンプロピレンゴムまたはクロロプレンゴムなどが用いられる。
【００４０】
サドル１６の内面側に弁管２２がサドル１６と一体的に射出成形または二次加工で形成される。弁管２２の外径は流入管１４の内径と同径以上の径である。弁管２２の前端の開口１８の一部はサドル１６の切欠１７と接合し、弁管２２の内面は切欠１７と連続する。弁管２２の下部に止水材２３が貼り付けられる。止水材２３はたとえばプチルテープや平板ゴムであり、平板ゴムにはスチレンゴム、エチレンプロピレンゴムまたはクロロプレンゴムなどが用いられる。
【００４１】
弁管２２の後端の端面２２ａは傾斜する。端面２２ａの上部から下部に向かって端面２２ａはサドル１６の内面側に突出し、傾斜端面２２ａは斜め上側を向く。
【００４２】
弁管２２の傾斜端面２２ａの上部にヒンジ２６などで弁体２８が取り付けられる。弁体２８の大きさは傾斜端面２２ａの内径より大きく、弁体２８は傾斜端面２２ａを開閉自在に塞ぐ。すなわち、通常弁体２８は重力により斜め上側を向く傾斜端面２２ａ上に載って、弁管２２の傾斜端面２２ａを塞ぐ。そして、弁管２２内から弁体２８の内面が押されると弁体２８は外側に開き、弁体２８の外面が押されると弁体２８は弁管２２の管壁に当たって弁管２２の傾斜端面２２ａを塞ぐ。この弁体２８にゴムパッキン２４などが取り付けられる。
【００４３】
この逆止弁１０は、図２に示すように、コンクリート製既設ます１２内に取り付けられる。ます１２の側壁に流入管接続孔３０および流出管接続孔３２が形成される。この流入管接続孔３０に流入管１４が接続され、流出管接続孔３２に流出管３４が接続されて、接続孔３０、３２と管１４、３４との間にモルタル３６が充填される。また、ます１２の底にインバート３８が設けられる。
【００４４】
サドル１６が上になり弁管２２が下になるようにして、逆止弁１０をます１２内に搬入する。サドル１６の外面をます１２の内面に沿わせながら、弁管２２の管底が流入管１４の管底と一致するようにし、止水材２０でサドル１６の外面をます１２の内面に接着する。これにより、弁管２２はます１２内に位置し、弁管２２の傾斜端面２２ａは斜め上側を向く。
【００４５】
逆止弁１０をます１２内に取り付けると、排水がます１２内に流入するとき以外、逆止弁１０の弁体２８は弁管２２の傾斜端面２２ａを塞ぐ。そして、流入管１４からます１２へ排水が流れると、排水は弁管２２内に流入し、弁体２８の内面を押して弁体２８を開き、インバート３８上を流れて流出管３４へ流出する。再び排水の流れが止まると、弁体２８は弁管２２の傾斜端面２２ａを塞ぐ。
【００４６】
これに対して、集中豪雨などにより排水が流出管３４からます１２内へ逆流すると、排水は弁体２８の外面を押して弁体２８は弁管２２を塞ぐ。この弁体２８により弁管２２、流入管１４および流入管１４の先にある宅内へ排水が流入することを防ぐ。
【００４７】
逆止弁１０の維持管理において、逆止弁１０の外観を点検する場合、ます１２の上部開口などからます１２内のサドル１６、弁管２２または弁体２８などの外観を見て検査する。弁管２２の内部を点検する場合、ます１２の上部開口から弁体２８を開け、斜め上側へ向く弁管２２の傾斜端面２２ａから弁管２２の中を見て点検する。また、サドル１６をます１２内から取り外して点検することもできる。
【００４８】
このように、逆止弁１０のサドル１６の外面をます１２の内面に沿わせ、止水材２０で逆止弁１０をます１２に取り付けることにより、既設ます１２にそのまま逆止弁１０を簡単に取り付けることができる。
【００４９】
また、弁体２８が傾斜端面２２ａを開閉自在に塞ぐことにより、排水が流入管１４からます１２へ流入する場合、排水は弁体２８を押し開けて流入し、反対に、排水がます１２から流入管１４側へ逆流する場合、排水は弁体２８を傾斜端面２２ａに押し付けて、弁体２８により排水の逆流は防止され、排水は宅内へ侵入しない。
【００５０】
このように排水がます１２内に流入するとき以外、弁体２８が弁管２２の傾斜端面２２ａを塞ぐため、弁体２８によります１２と流入管１４は常に遮断され、ます１２内の悪臭は流入管１４を通り宅内へ侵入したりしない。
【００５１】
さらに、弁管２２をます１２内に位置し、弁管２２の傾斜端面２２ａを斜め上側へ向か
せることにより、ます１２の上部開口などから弁体２８や弁管２２などを目視点検でき、弁体２８を開ければ弁管２２内も目視点検できるため、簡単かつ適切に逆止弁１０の維持管理を行える。
【００５２】
なお、逆止弁１０をます１２内に取り付ける際、さらに拡径バンドなどを用いることもできる。拡径バンドはたとえば、図６に示す拡径ステンレスバンド４０である。逆止弁１０をます１２に取り付けた後、拡径ステンレスバンド４０の内径をます１２の内径より小さくして、拡径ステンレスバンド４０をます１２内に挿入する。拡径ステンレスバンド４０を水平にして、サドル１６の内面上を通るように、ます１２内に拡径ステンレスバンド４０を嵌める。そして、クランプ４２などにより拡径ステンレスバンド４０を拡径すると、拡径ステンレスバンド４０は拡がってサドル１６をます１２の内面へ押し付ける。逆止弁１０は拡径ステンレスバンド４０によります１２に圧着されて強固に固定される。このため、逆止弁１０の離脱防止機能の向上だけでなく、サドル１６とます１２との密着性が高まり逆流防止機能も向上する。
【００５３】
この固定方法とは別に、逆止弁１０をアンカボルトなどにより固定することもできる。たとえば、図７に示すＵ型治具４４を用いる。Ｕ型治具４４の脚部にアンカボルト４６用の貫通孔４４ａが形成される。この場合、サドル１６をます１２に取り付けた後、Ｕ型治具４４を弁管２２に上から嵌める。そして、Ｕ型治具４４の貫通孔４４ａにアンカボルト４６を挿入して固定する。
【００５４】
図８に示すこの発明の他の実施例である逆止弁１０は、図１に示す逆止弁１０に押え具４７を取り付けたものである。このため、逆止弁１０のサドル１６に係止受部５０を設け、係止受部５０に押え具４７を係止させる以外の部分に関しては図１実施例の示す逆止弁１０と同様であるため、説明は省略する。
【００５５】
係止受部５０はサドル１６の内面で弁管２２の外側に設けられる。たとえば、２つの対峙する板５２を備える。各板５２に貫通孔５２ａが形成され、貫通孔５２ａのそれぞれに丸棒５４を挿入する。
【００５６】
押え具４７は、支持棒４８に当接板４９を接続し、たとえば、２本の支持棒４８を連結材５６で連結して形成される。支持棒４８は棒状で、その一方端に係止孔４８ａが形成される。係止孔４８ａの径は丸棒５４の径より大きい。支持棒４８の他方端はチーズ継手５７に接続する。チーズ継手５７は３つの受口を有し、その１つの受口に支持棒４８を接続し、それと９０度の位置にある受口に連結材５６を接続する。そして、連結材５６は支持棒４８と垂直に接続し、また別の支持棒４８とも垂直に接続して、平行な２つの支持棒４８を連結する。また、支持棒４８を接続する受口と１８０度の位置にある受口に当接部材４９を接続する。当接部材４９は当接板４９ａに取付棒４９ｂを接続したものであり、チーズ継手５７により取付棒４９ｂは支持棒４８と直線状に連結する。当接板４９ａは平板状で、その上端および下端にテーパ形成される。
【００５７】
押え具４７の長さ、つまりチーズ継手５７を介して支持棒４８に当接部材４９を取り付けた長さＬは、逆止弁１０を取り付けるます１２の半径Ｒ、係止受部５０の間隔Ｗ
、支持棒４８を係止受部５０に取りつけた際のサドル１６の外面と支持棒４８の端部との間隔をＳとした場合、数１に表される。また、当接板４９ａは取付棒４９ｂに対して角度θで接続し、ｃｏｓθ＝Ｗ／２Ｒで表される。
【００５８】
【数１】
2006183454.tif 000003
【００５９】
この押え具４７の各支持棒４８を各係止受部５０の２つの板５２の間に入れ、丸棒５４を支持棒４８の係止孔４８ａおよび係止受部５０の貫通孔５２ａに挿入して、支持棒４８を弁管２２の外側でサドル１６の内面に取り付ける。そして、支持棒４８の係止孔４８ａの内面は丸棒５４上を滑り、図９および図１０に示すように、押え具４７は上下変位可能に動く。
【００６０】
逆止弁１０をます１２に取り付ける場合、図１１に示すように、押え具４７を垂直に立てた状態（第１状態）で、逆止弁１０をます１２内に搬入する。弁管２２の管底を流入管１４の管底に合わせ、サドル１６の外面をます１２の内面と沿わせて、止水材２０でサドル１６をます１２に固定する。サドル１６の位置が確定したところで、押え具４７を下げて水平（第２状態）にして、押え具４７の当接板４９ａはます１２の内面のサドル１６に対向する位置に当たる。これにより、押え具４７はサドル１６をます１２の内面に押し付けて、逆止弁１０はます１２に固定される。
【００６１】
このように、押え具４７を上下変位可能にサドル１６に取り付けることにより、押え具４７を上げておけば、押え具４７は邪魔にならずに逆止弁１０をます１２内に搬入することができ、押え具４７を下げれば逆止弁１０をます１２内に固定することができる。
【００６２】
そして、押え具４７を下げて、サドル１６をます１２に押し付けることにより、逆止弁１０をます１２に強力かつ簡単に固定することができる。このため、排水が逆流しても逆止弁１０はます１２から外れない。
【００６３】
なお、押え具４７の係止孔４８ａおよび係止受部５０の丸棒５４により、押え具４７を逆止弁１０に上下変位可能に取りつけたが、押え具４７を逆止弁１０に対して上下変位可能であればこの方法に限らない。
【００６４】
また、押え具４７の長さを予め数１による長さにしたが、押え具４７に長さを調整する伸縮部材を取り付けて、押え具４７の長さを調整して数１による長さにすることもできる。伸縮部材はたとえば、図１２に示すターンバックル５８である。これにより、押え具４７の長さを調整できて、ます１２の大きさや形状または係止受部５０の取付位置などに対応させることができる。
【００６５】
さらに、押え具４７をサドル１６に予め取り付けておかず、押え具４７と逆止弁１０とを別部材として、施工時に押え具４７を逆止弁１０に取りつけてもよい。このため、係止孔４８ａの代わりに、図１３（Ａ）に示すように押え具４７の支持棒４８に切欠４８ｂを形成する。切欠４８ｂは支持棒４８の端辺から長さ方向にへこませた窪みである。逆止弁１０をます１２に固定する際、サドル１６を止水材２０でます１２に取り付けた後、押え具４７を垂直に立てて、図１３（Ｂ）に示すように上から係止受部５０の丸棒５４に切欠４８ｂを嵌める。そして、図１３（Ｃ）のように押え具４７を下げて、押え具４７の当接板４９ａをます１２の内面のサドル１６に対向する位置に当てて、サドル１６をます１２の内面に押え付ける。
【００６６】
図１３（Ａ）に示す押え具４７とは別に、図１４（Ａ）および図１４（Ｂ）に示す押え具４７も用いることができる。図１３（Ａ）では、支持棒４８に切欠４８ｂが形成され、この切欠４８ｂをサドル１６の係止受部５０の丸棒５４に嵌めたが、図１４（Ａ）および図１４（Ｂ）では、これと反対に、支持棒４８に丸棒５４を取り付け、係止受部５０の板５２に切欠５２ｂを形成した。このため、支持棒４８の丸棒５４を係止受部５０の切欠５２ｂに嵌めて、押え具４７をサドル１６に取り付ける。
【００６７】
さらに、図１５に示す逆止弁１０は、図１６（Ａ）に示すサドル１６に図１６（Ｂ）に示す押え具１００を取り付けて形成される。このサドル１６の内面に係止受部１０２が設けられ、係止受部１０２は管を斜めに切断した形状を有する。また、押え具１００は２本の支持棒１０４を有し、２本の支持棒１０４は連結部材１０６により連結される。各支持棒１０４は、屈曲し、屈曲部分１０８に伸縮部分１１０を有する。屈曲角度は、図１７（Ａ）に示すように、支持棒１０４の先端を係止受部１０２に嵌めた状態で、支持棒１０４の屈曲部分１０８がます１２の側壁内面に対して直角または略直角になるように設定される。そして、図１７（Ａ）および図１７（Ｂ）に示すように、サドル１６をます１２の内面に付け、その係止受部１０２に支持棒１０４の先端を嵌めてから、伸縮部分１１０を調整することにより、押え具１００がサドル１６をます１２の側壁に押さえつけて、逆止弁１０はます１２に固定される。
【００６８】
図１８に示すこの発明の他の実施例である逆止弁１０は、図１に示す逆止弁１０にインバート５９を備えた逆止弁１０である。このため、インバート５９と弁管２２とが一体形成されること、およびサドル１６に切欠１７でなく孔１９を設けたこと以外の部分に関しては図１実施例の示す逆止弁１０と同様であるため、説明は省略する。
【００６９】
図１８〜図１９（Ｂ）に示すように、サドル１６の孔１９はサドル１６に設け、サドル１６の底辺に弁管２２の底部を一致させる。
【００７０】
インバート５９は円筒形状の管の円形状断面を半分に切断した形状であり、その直線状の端部に鍔６０が設けられる。インバート５９は弁管２２と射出成形や二次加工により一体に形成され、その端部はサドル１６の内面と接合する。
【００７１】
逆止弁１０をます１２に取り付ける場合、図２０に示すように、インバート５９が下側になるように逆止弁１０をます１２内に搬入する。孔１９の底部の高さを流入管１４の管底の高さに合わせ、インバート５９の底部の高さを流出管３４の管底の高さに合わせて、サドル１６の外面をます１２の内面に沿わせて止水材２０で接着する。そして、インバート５９の周りにコンクリートなどの充填剤６１を充填して、逆止弁１０を固定する。
【００７２】
これにより、インバート５９の周りだけでなくサドル１６の下部も充填剤６１に埋まるため、逆止弁１０はます１２内に固定される。よって、逆止弁１０の離脱防止のために押え具４７などを特別に用いる必要がない。
【００７３】
また、この逆止弁１０を用いることにより、同時にインバート５９を採用できる。
【００７４】
図２１に示すこの発明の他の実施例である逆止弁１０は、図２３に示すます１２の流出管３４側に取り付けるための逆止弁１０である。
【００７５】
図２１〜図２３に示すように、逆止弁１０はサドル１６を有する。サドル１６は図１に示すサドル１６と同様である。このサドル１６の下部に切欠１７が設けられる。サドル１６の外面上で切欠１７の外側に止水材２０が設けられる。
【００７６】
サドル１６の内面側に接続管６２がサドル１６と一体的に射出成形または二次加工で形成される。接続管６２の外径は流出管３４の内径と同径以上の径である。接続管６２の一方端の開口１８の一部はサドル１６の切欠１７と一致し、接続管６２の内面は切欠１７と連続する。接続管６２の他方端は弁管６４と接続する。この接続管６２の他方端から接続管６２の中に向かって弁管６４は形成される。
【００７７】
弁管６４の前端は接続管６２と連続し、弁管６４の後端の端面は傾斜する。端面６４ａ
の上部から下部に向かって端面６４ａはサドル１６の内面側に突出し、傾斜端面６４ａは傾斜し斜め上側を向く。
【００７８】
弁管６４の傾斜端面６４ａの上部にヒンジ２６などで弁体２８が取り付けられる。弁体２８の大きさは傾斜端面６４ａの内径より大きく、弁体２８は傾斜端面６４ａを開閉自在に塞ぐ。弁体２８にゴムパッキン２４などが取り付けられる。
【００７９】
この逆止弁１０を既設ます１２内に取り付ける場合、図２３に示すように、サドル１６の外面をます１２の内面に沿わせながら、接続管６２の管底が流出管３４の管底と一致するようにし、止水材２０でサドル１６の外面をます１２の内面に接着する。
【００８０】
逆止弁１０をます１２内に取り付け、排水がます１２から流出管３４に流れると、排水は弁管６４内に流入し、弁体２８を押し開けて、流出管３４へ流出する。一方、排水が流出管３４からます１２側へ逆流しようとすると、排水は接続管６２内に流入し、弁体２８は弁管６４の傾斜端面６４ａを塞ぐ。これにより、排水はます１２、延いては宅内へ流入することが防がれる。
【００８１】
なお、図１に示す逆止弁１０と同様に、図６に示す拡径ステンレスバンド４０、図７に示すＵ型治具４４、図８などに示す押え具４７、または図１５（ｂ）に示す押え具１００を用いて、逆止弁１０をます１２に固定することができる。
【００８２】
また、図１８に示すように、弁管６１をインバート５９に一体成形することもできる。
【００８３】
図２４に示すこの発明の実施例であるますは、排水の逆流防止機能を有し、本体６５を含む。
【００８４】
本体６５はポリプロピレンや塩化ビニルなどの樹脂製である。本体６５の側壁は上面開口し、その側壁に少なくとも２つの孔６６、６８が形成される。
【００８５】
本体６５の側壁の１つの孔６６に流出管接続受口６７が設けられ、他の１つの孔６８に弁管７０および流入管接続受口７１が設けられる。弁管７０は本体６５の内面側に突出し、流入管接続受口７１は本体６５の外面側に突出して、弁管７０と流入管接続受口７１は連続する。弁管７０の管底の高さは流入管接続受口７１の底部の高さより高く、これらの高さの差は流入管１４の肉厚に相当する。このため、流入管１４を流入管接続受口７１に挿入すると、弁管７０の管底と流入管１４の管底とは一致する。
【００８６】
弁管７０は本体６５の側壁と射出成形または二次加工により一体に形成される。弁管７０の前端は孔６８と一致し、弁管７０の内面は孔６８と連通する。弁管７０の後端は本体６５の内面側に形成され、その端面７０ａは斜め上側に向いて傾斜する。
【００８７】
弁管７０の傾斜端面７０ａの上部にヒンジ２６などで弁体２８が取り付けられる。弁体２８の大きさは傾斜端面７０ａの内径より大きく、弁体２８は傾斜端面７０ａを開閉自在に塞ぐ。弁体２８にゴムパッキン２４などが取り付けられる。
【００８８】
本体６５の底にインバート３８が形成される。インバート３８は円筒形状の管の円形状断面を半分に切断した形状で、その一方端は流出管３４接続口に接続し、他方端は弁管７０と接続する。
【００８９】
図２５（Ａ）および図２５（Ｂ）に示すこの発明の他の実施例である逆止弁１０は弁管７２を有する。弁管７２の外径は流出管３４の内径とほぼ等しいまたはより小さく、弁管７２の後端の端面７２ａは傾斜する。弁管７２の傾斜端面７２ａの上部にヒンジ２６などで弁体２８が取り付けられ、弁体２８は傾斜端面７２ａを開閉自在に塞ぐ。
【００９０】
逆止弁１０をます１２に取り付ける場合、押え具４７および停止具を用いる。停止具は、たとえば半割れリング７４であり、半割れリング７４はリング状の板を半分に切断した形状で、その内径は弁管７２の内径とほぼ等しい。弁管７２を流出管３４内に挿入し、半割れリング７４の内周が弁管７２の内周にほぼ一致するように半割れリング７４を弁管７２の管壁の上部端面に当てる。そして、押え具４７の支持棒４８の一端を半割れリング７４に当て、支持棒４８の他端の当接板４９ａをます１２の内面の半割れリング７４に対向する位置に当て、半割れリング７４をます１２に固定する。
【００９１】
このように、半割れリング７４を弁管７２の管壁の端面に当て、半割れリング７４をます１２に固定すると、逆流した排水により流出管３４からます１２側に向かう力が逆止弁１０に作用しても、流出管３４に挿入された逆止弁１０は半割れリング７４に当たり流出管３４内からます内に抜けない。
【００９２】
なお、図２５（Ａ）および図２５（Ｂ）に示す半割れリング７４を押え具４７で固定したが、これに代えて、図６に示す拡径ステンレスバンド４０、図７に示すＵ型治具４４、図１２、図１３（Ａ）、または図１４（Ａ）に示す押え具４７を用いて、半割れリング７４をます１２に固定することもできる。また、押え具４７を用いず、止水材２０やアンカなどにより半割れリング７４を直接ます１２に固定することもできる。
【００９３】
図２６に示すこの発明のさらに別の実施例である逆止弁１０は、サドル１１２およびサドル１１２に装着された弁体１１４を有する。
【００９４】
サドル１１２は、塩化ビニル、鋼材または硬質ゴムなどを用いて形成される。サドル１１２は、その外面がます１１６の内面に沿った形状であり、外面上に止水材２０が取り付けられる。サドル１１２の下部に切欠１１８が設けられ、切欠１１８は円弧状に形成される。切欠１１８に沿ったサドル１１２の縁で、サドル１１２の内面側の角は切り取られ、切り取り部１２０が形成される。
【００９５】
弁体１１４は、円盤状で、流入管１４の管端に沿った形状であり、その径は流入管１４の内径より大きく設定される。弁体１１４の内面に止水材２４が貼り付けられる。弁体１１４の厚みと止水材２４の厚みとを足した厚みは、サドル１１２の厚みと止水材２０の厚みとを足した厚みと同じまたはほぼ同じに設定される。弁体１１４は、サドル１１２の切欠１１８に嵌められ、ヒンジ２６などにより吊り下げられた状態でサドル１１２に取り付けられる。ヒンジ２６の接合部２６ａはサドル１１２の切り取り部１２０に合わせられ、これにより、弁体１１４は流入管１４の開口を開閉自在に塞ぐ。
【００９６】
この逆止弁１０を矩形状の既設ます１１６内に取り付ける場合、弁体１１４を流入管１４の開口に合わせてから、サドル１１２の外面をます１１６の内面に沿わせ、止水材２０によりサドル１１２をます１１６の内面に接着する。これにより、逆止弁１０はます１１６の内面に取り付けられる。
【００９７】
取り付けられたサドル１１２から弁体１１４が垂れ下がり、止水材２４が流入管１４の管端に付いて、流入管１４の開口を塞ぐ。そして、排水が流入側から流れると、排水の水圧により弁体１１４が開き、排水は流出側へ流れる。このように、排水の流入時を除いて、弁体１１４は流入管１４を遮断するため、排水の悪臭が流入管１４を通り宅内へ侵入することが防がれる。
【００９８】
また、排水が逆流すると、排水の水圧により弁体１１４は流入管１４の管端に押さえ付けられ、この開口を塞ぐ。このため、流入管１４および流入管１４の先にある宅内へ排水が流入することが防がれる。
【００９９】
さらに、逆止弁１０がます１１６の内側に設けられるため、ます１１６の上部などから逆止弁１０を目視で点検できる。また、弁体１１４を開けると、流入管１４の中を目視で点検することができる。
【０１００】
また、この逆止弁１０には弁管などます１１６の内側に突出したものがなく、弁体１１４およびサドル１１２がます１１６の内面に張り付いているため、ます１１６の中における作業空間を大きく取ることができる。
【０１０１】
なお、図６に示す拡径バンド４０、図７に示すＵ型治具４４、図８〜図１４に示す押え具４７、または図１５（Ｂ）に示す押え具１００などを用いて、逆止弁１０をます１１６内に固定することもできる。この押え具４７を用いる場合、図２７に示すように、図２６に示すサドル１１２に係止受部５０を設け、係止受部５０に押え具４７を係止させる。これにより、押え具４７は、流入管１４の開口の外側でサドル１１２の内面に取り付けられ、サドル１１２をます１１６に押し付けるため、逆止弁１０はます１１６に強力かつ簡単に固定される。
【０１０２】
また、図２６および図２７では、矩形状の既設ます１１６に逆止弁１０を取り付けたが、円形状の既設ますに逆止弁１０を取り付けることもできる。
【０１０３】
さらに、図２６および図２７では、逆止弁１０をます１１６の流入管１４側に取り付けたが、ます１１６の流出管３４側に取り付けることもできる。この場合、縦長の楕円形状の弁体を用い、弁体を流出管３４の中に入れて、サドル１１２の外面をます１１６の内面に取り付ける。これにより、流出側へ流れる排水に対して弁体が流出管３４の開口を開き、反対に、流入側へ逆流する排水に対して弁体が流出管３４の開口を塞いで、逆止弁１０は逆流防止作用などを奏する。
【０１０４】
また、弁体１１４をますに直接取り付けることもできる。すなわち、上面開口の側壁を有する本体をますに用い、この側壁の流入側および流出側に孔を形成する。そして、流入側の孔または流出側の孔を囲む側壁の縁で、ますの内側の角を切り取り、切り取り部１２０を形成する。そして、接合部２６ａを切り取り部１２０に合わせて、ヒンジ２６を側壁の内面および弁体１１４に付ける。そして、弁体１１４はヒンジ２６により孔を開閉自在に塞いで、ますは逆流防止機構などを有する。
【０１０５】
なお、図１に示す実施例と同様により共通する部分については同じ番号を付して説明を省略する。
【０１０６】
また、上記の全実施例では、弁管２２、６４、７０、７２の後端の端面２２ａ、６４ａ、７０ａを傾斜させたが、端面２２ａ、６４ａ、７０ａ、７２ａを弁管２２、６４、７０、７２の管軸に対して垂直に形成することもできる。
【０１０７】
さらに、図２４の実施例を除く上記全ての実施例で、逆止弁１０をコンクリート製既設ます１２内に取り付けたが、逆止弁１０をポリプロピレンや塩化ビニルなどの樹脂製既設ます内に取り付けることもできる。
【０１０８】
また、上記の全実施例では、排水施設としてます１２、６５を用いたが、マンホールなどの他の排水施設を用いることもできる。
【０１０９】
さらに、上で挙げた角度や寸法の具体的数値はいずれも単なる一例であり、必要に応じて適宜変更可能である。
【図面の簡単な説明】
【０１１０】
【図１】この発明の一実施例の逆止弁を示す斜視図である。
【図２】図１の逆止弁をますに取り付けた状態を示す断面図である。
【図３】図１実施例の逆止弁の側面を示す平面図である。
【図４】図１実施例の逆止弁の上面を示す平面図である。
【図５】図１実施例の逆止弁の前面を示す平面図である。
【図６】拡径ステンレスバンドを用いて逆止弁をますに固定した状態を示す斜視図である。
【図７】Ｕ型治具およびアンカボルトを用いて逆止弁をますに固定した状態を示す断面図である。
【図８】この発明の他の実施例の逆止弁を示す平面図である。
【図９】図８実施例の逆止弁の押え具を下げた状態を示す平面図である。
【図１０】図８実施例の逆止弁の押え具を上げた状態を示す平面図である。
【図１１】図８実施例の逆止弁をますに取り付けた状態を示す断面図である。
【図１２】この発明のさらに別の実施例の逆止弁を示す平面図である。
【図１３】（Ａ）はこの発明のさらに別の実施例の逆止弁を示す断面図であり、（Ｂ）は（Ａ）の逆止弁に押え具を取り付けた状態を示す断面図であり、（Ｃ）は（Ｂ）の押え具を下げた状態を示す断面図である。
【図１４】（Ａ）はこの発明のさらに別の実施例の逆止弁を示す断面図であり、（Ｂ）は（Ａ）の平面図である。
【図１５】この発明のさらに別の実施例の逆止弁を示す平面図である。
【図１６】（Ａ）は図１６の逆止弁に用いられるサドルを示す平面図であり、（Ｂ）は（Ａ）の逆止弁に取り付けられる押え具を示す平面図である。
【図１７】（Ａ）は図１５に示す逆止弁をますに取り付けた状態を示す平面図であり、（Ｂ）は（Ａ）の断面図である。
【図１８】この発明のさらに別の実施例の逆止弁を示す斜視図である。
【図１９】（Ａ）は図１８実施例の逆止弁の後面を示す平面図であり、（Ｂ）は（Ａ）の側面を示す平面図である。
【図２０】図１８実施例の逆止弁をますに取り付けた状態を示す断面図である。
【図２１】この発明のさらに別の実施例の逆止弁を示す断面図である。
【図２２】図２１実施例の逆止弁を示す断面図である。
【図２３】図２１実施例の逆止弁をますに取り付けた状態を示す断面図である。
【図２４】この発明のさらに別の実施例の逆止弁を示す断面図である。
【図２５】この発明のさらに別の実施例の逆止弁を示す断面図である。
【図２６】この発明のさらに別の実施例の逆止弁をますに取り付けた状態を示す断面図である。
【図２７】図２６に示す逆止弁を押え具で押さえた状態を示す断面図である。
【符号の説明】
【０１１１】
１０…逆止弁
１２、６５、１１６…ます
１４…流入管
１６、１１２…サドル
１９…孔
２２、６４、７０、７２…弁管
２８、１１４…弁体
３４…流出管
３８…インバート
４０…拡径ステンレスバンド
４４…Ｕ型治具
４６…アンカボルト
４７、１００…押え具
【図１】
2006183454.tif 000004
【図２】
2006183454.tif 000005
【図３】
2006183454.tif 000006
【図４】
2006183454.tif 000007
【図５】
2006183454.tif 000008
【図６】
2006183454.tif 000009
【図７】
2006183454.tif 000010
【図８】
2006183454.tif 000011
【図９】
2006183454.tif 000012
【図１０】
2006183454.tif 000013
【図１１】
2006183454.tif 000014
【図１２】
2006183454.tif 000015
【図１３】
2006183454.tif 000016
【図１４】
2006183454.tif 000017
【図１５】
2006183454.tif 000018
【図１６】
2006183454.tif 000019
【図１７】
2006183454.tif 000020
【図１８】
2006183454.tif 000021
【図１９】
2006183454.tif 000022
【図２０】
2006183454.tif 000023
【図２１】
2006183454.tif 000024
【図２２】
2006183454.tif 000025
【図２３】
2006183454.tif 000026
【図２４】
2006183454.tif 000027
【図２５】
2006183454.tif 000028
【図２６】
2006183454.tif 000029
【図２７】
2006183454.tif 000030